(57)【要約】      （修正有）【課題】衝撃圧力を軽減できるとともに、使い易い携帯情報処理装置を提供する。【解決手段】下面に携帯情報処理手段２を左及び右側縁部２１Ａ及び２１Ｂによって左及び右側縁から抱えるように接触保持する本体ケース３において、左及び右側縁部の根元部分に肉厚が薄い衝撃放出部位２２Ａ及び２２Ｂを設けることにより、外部から衝撃が与えられた場合にも、携帯情報処理手段に対する衝撃圧力を軽減できる。また本体ケースの側縁部に設けたヒンジ１１Ａを介して蓋部材４を本体ケースの側縁部から上方に立ち上げることにより、鏡１２、又はモニタ表面をテーブル上に立設させて利用でき、見易い状態で携帯情報処理手段を使用できる。【選択図】図４
0003219341.tif 000002
【実用新案登録請求の範囲】
【請求項１】
下面において携帯情報処理手段を左及び右側縁部によって左及び右側縁から抱えるように接触保持する本体ケースを有し、
上記左及び右側縁部には根元部に肉厚が薄い衝撃放出部位が形成され、上記携帯情報処理手段に外部から衝撃が付与されたとき、上記衝撃放出部位が一時的に外側に撓むように変形することにより上記携帯情報処理手段の表面部材に対する衝撃圧力を軽減する
ことを特徴とする携帯情報処理装置。
【考案の詳細な説明】
【技術分野】
【０００１】
本考案は携帯情報処理装置に関し、特にスマートフォンなどの携帯型の情報処理機器を用いた場合に適用して好適なものである。
【背景技術】
【０００２】
スマートフォンのような携帯型の情報処理機器は、ユーザが日常的に手にして処理すべき情報のやり取りをする手段として手軽に情報の読み取りをしたり、電子マネーカード（例えばスイカ）や、手鏡を組み合わせることにより、機能を向上させるような工夫がなされている（特許文献１参照）。
【先行技術文献】
【特許文献】
【０００３】
【特許文献１】特開２０１６−４６６９６号公報
【考案の概要】
【考案が解決しようとする課題】
【０００４】
ところで、この種の携帯情報処理装置は、比較的小型ものが多いので、情報の読み書きが容易であると共に、女性向きに手鏡が組み合わされていることが便利である。
【０００５】
本考案は以上の点を考慮してなされたもので、全体としての構成が小型であった場合にも、携帯情報処理手段としてユーザができるだけ使い易くした携帯情報処理装置を提案しようとするものである。
【課題を解決するための手段】
【０００６】
かかる課題を解決するため本考案においては、下面において携帯情報処理手段２を左及び右側縁部２１Ａ及び２１Ｂによって左及び右側縁から抱えるように接触保持する本体ケース３を有し、左及び右側縁部２１Ａ及び２１Ｂには根元部に肉厚が薄い衝撃放出部位２２Ａ及び２２Ｂが形成され、携帯情報処理手段２に外部から衝撃が付与されたとき、衝撃放出部位２２Ａ及び２２Ｂが一時的に外側に撓むように変形することにより携帯情報処理手段２の表面部材に対する衝撃圧力を軽減するようにする。
【０００７】
また本体ケース３は上面に電子マネーカード収納部１３を形成し、本体ケース３の上面を開閉するように本体ケース３の側縁部にヒンジ１１Ａ、１１Ｂを介して蓋部材４が設けられ、蓋部材４の内側表面に鏡１２が設けられ、ユーザが蓋部材４を開動作させた状態にして本体ケース３をテーブルの表面上に置くことにより鏡１２を本体ケース３の側縁部から上方に立ち上げた状態で当該鏡１２を使用できる第１の立体操作形態にできると共に、当該開動作形態を維持したまま本体ケース３及び蓋部材４をテーブルの表面に向けて伏せることにより本体ケース３に対して開状態になっている蓋部材４がヒンジ１１Ａ、１１Ｂを介して突っ支い棒機能を果たすことによって本体ケース３の下面に保持された携帯情報処理手段２の下面側に設けられたモニタ表面２Ａが上方に向いた第２の立体操作形態に保持できるようにする。
【考案の効果】
【０００８】
本考案によれば、下面に携帯情報処理手段を左及び右側縁部によって左及び右側縁から抱えるように接触保持する本体ケースについて、左及び右側縁部の根元部分に肉厚が薄い衝撃放出部位を設けることにより、外部から衝撃が与えられた場合にも、携帯情報処理手段に対する衝撃圧力を軽減するようにできる。
【０００９】
また本体ケースの側縁部に設けたヒンジを介して蓋部材を本体ケースの側縁部から上方に立ち上げることにより鏡をテーブル上に立設させて利用できる第１の立体操作形態にできると共に、この第１の立体操作形態のまま蓋部材及び本体ケースをテーブル上に伏せることにより携帯情報処理手段のモニタ表面をテーブル上に立設させた第２の立体操作形態で利用でき、これによりユーザが鏡やモニタ表面を見易い状態で携帯情報処理手段を使用できる。
【図面の簡単な説明】
【００１０】
【図１】本考案による携帯情報処理装置の外観構成を示す斜視図である。
【図２】鏡の使用態様を示す斜視図である。
【図３】スマートフォンの使用態様を示す斜視図である。
【図４】衝撃放出部位を有する本体ケースを一部を断面として示す側面図である。
【図５】衝撃放出部位を有する本体ケースの一部断面構成を示す平面断面図である。
【図６】衝撃放出部位を有する本体ケースを示す一部拡大断面図である。
【図７】ヒンジ構造を示す一部拡大図である。
【図８】（Ａ）、（Ｂ）及び（Ｃ）はヒンジ構造を示す略線図である。
【図９】（Ａ）及び（Ｂ）は他の実施の形態を示す略線図である。
【考案を実施するための形態】
【００１１】
以下図面について、本考案の一実施の形態を詳述する。
【００１２】
（１）図１において、１は全体として携帯情報処理装置を示し、携帯型の情報処理手段としてスマートフォン２を保持する本体ケース３上に蓋部材４を設けた構成を有し、蓋部材４にはスマートフォン２のカメラのレンズを透視できるカメラ穴５が設けられている。
【００１３】
蓋部材４は図２に示すように、本体ケース３の右側縁部に設けられた蝶番（以下これをヒンジと呼ぶ）１１Ａ及び１１Ｂによって蓋部材４が横方向位置において本体ケース３の上面を開閉できるようになされていると共に、蓋部材４の内側表面４Ａのカメラ穴５Ａ（本体ケース３に設けられたカメラ穴５Ｂと連通している）に隣接する位置に鏡１２が設けられている。
【００１４】
かくして蓋部材４がヒンジ１１Ａ及び１１Ｂを中心として本体ケース３に対して開閉動作したとき、ユーザは鏡１２に自分の顔を映してお化粧の直しや、顔のチェックをすることができるようになされている。
【００１５】
この実施の形態の場合、本体ケース３の内部表面には電子マネーカード収納部１３が設けられており、蓋部材４が図１に示すように本体ケース３側に閉じた状態になっているとき、ユーザが蓋部材４を外部に用意されている電子マネー装置に押し当てるような操作をしたとき、電子マネーカード１４の電子マネー情報を鏡１２及び蓋部材４の厚みを通して電子マネー装置との間の金銭の支払処理ができるようになされている。
【００１６】
このようにして図１に示すように蓋部材４を本体ケース３に対して閉じた状態の携帯情報処理装置１は、スマートフォン２のモニタ表面２Ａを使って情報処理操作を行うことができると共に、電子マネーカード収納部１３に収納された電子マネーカード１４を使って外部の電子マネー装置との支払処理を行うことができる。
【００１７】
（２）耐外傷構造
この実施の形態の場合、本体ケース３は携帯情報処理装置１を誤って取り落としたような場合にも、スマートフォン２に重大な外傷を与えることを回避できるような図４ないし図６に示すような耐外傷構造を持っている。
【００１８】
すなわち、この実施の形態の場合の本体ケース３は図４、図５に示すように、左側縁部２１Ａ及び右側縁部２１Ｂによってスマートフォン２の左及び右側面を挟み込むことにより、スマートフォン２を本体ケース３に保持するようになされている。
【００１９】
かかる構成に加えて左側縁部２１Ａ及び右側縁部２１Ｂの根元位置には、図６に示すように、凹部構造の衝撃放出部位２２Ａ及び２２Ｂが内側から形成されていることにより、当該構造の衝撃放出部位２２Ａ及び２２Ｂが形成された左側縁部２１Ａ及び右側縁部２１Ｂの板厚が薄くなるようになされている。
【００２０】
この衝撃放出部位２２Ａ及び２２Ｂは、図５において斜線で示すように、本体ケース３の左及び右側縁部２１Ａ及び２１Ｂのほぼ全長に亘って形成されており、これによりスマートフォン２を挟み込むように支持している左側縁部２１Ａ及び２１Ｂが外部から衝撃を受けたとき、外側に撓むように変形することによって衝撃圧力を逃がすことができる。
【００２１】
かくしてユーザが携帯情報処理装置１を取り落としたような場合にその衝撃力が外方に逃がされることにより、スマートフォン２を破壊するような影響を生じさせないようにできる。
【００２２】
（３）立体使用構造
携帯情報処理装置１は、常時は図１に示すように、ユーザがスマートフォン２を保持した本体ケース３上に蓋部材４を閉じた状態で手で持ち運んだり、スマートフォン２のモニタ表面２Ａを用いて情報の処理をするのに対して、図２や図３に示すように、鏡１２やスマートフォン２を立設させた状態で使用することができる。
【００２３】
この立設する使用態様は、図７に示すように、ヒンジ１１Ａ及び１１Ｂ内において、蓋部材４の下端部に取り付けられた回動板材３２を回動軸３１に回動自在に装着することによって蓋部材４を本体ケース３から折り返すことにより実現できる。
【００２４】
ヒンジ１１Ａ及び１１Ｂは、本体ケース３の側縁部において上方に突出するように設けられた軸支部材４１によって本体ケース３の側縁部に沿う方向に回動軸３１を突出させていると共に回動板材３２に穿設された中心孔４３によって回動板材３２を当該回動軸３１に回動自在に支持し、これにより回動板材３２に固着された蓋部材４が回動軸４２を中心として矢印ａで示す方向に開閉動動作させるようになされている。
【００２５】
回動板材３２は円形板材の一部を直線面４４に沿って切り落した形状を有し、これにより回動板材３２の先端部分に回動板材３２の円形形状を直線面４４によって鋭く切り取った形状の係止部４５を形成し、蓋部材４が矢印ａに従って反時計方向に内方に回動されたとき、直線面４４が本体ケース３の電子マネーカード収納部１３の方向に回動することにより蓋部材４が電子マネーカード収納部１３の表面に当接して蓋をする図１の状態になる。
【００２６】
これに対して蓋部材４が矢印ａに沿って時計方向に回動されて本体ケース３から離れる方向に開かれると、回動板材３２が時計方向に回動して行き、やがて係止部４５が本体ケース３に形成された係止壁４６に当接して時計方向への回動ができなくなると、蓋部材４は図２に示すように鏡１２を立設保持する状態を維持する状態になる。
【００２７】
かくして図７において、蓋部材４が本体ケース３上に当接した状態（図１の状態）からユーザが蓋部材４を本体ケースの上面から矢印ａに沿って時計方向に外側に開くことにより、図８（Ａ）に示すように、回動板材３２の直線面４４の開閉角度が基準線４７から外方に例えば６５[°]開いたとき蓋部材４が基準線４７から６５[°]開いた状態に開動作し、続いて図８（Ｂ）に示すように８５[°]の位置に開いた状態を経て図８（Ｃ）に示すように１１０[°]に全開した状態になる。
【００２８】
この１１０[°]開いた状態になったとき回動板材３２の先端の係止部４５が本体ケース３の係止壁４６に当接してそれ以上の開動動作を抑止する状態になり、これにより蓋部材４の本体ケース３に対する外方への開動動作ができない状態に保持される。
【００２９】
この状態になると、蓋部材４は図２に示すように鏡１２を立設保持した状態になり、この鏡１２の立設保持状態は、ユーザが蓋部材４を本体ケース３側に閉じる操作をしない限り維持される。
【００３０】
なお、この実施の形態においては、当該開閉角度は０［°］から１８０［°］まで設定できるように予定されている。
【００３１】
（４）動作
以上の構成の携帯情報処理装置１において、ユーザは図１に示すように本体ケース３に蓋部材４を閉じた平面動作状態にしたとき、ユーザは本体ケース３を手に持ってスマートフォン２のモニタ表面２Ａを利用して情報処理動作を行ったり、マネーカードを利用して金銭の支払いをしたり、蓋部材４を開いてお化粧をしたりすることができる。
【００３２】
この状態においてユーザは蓋部材４の表面についてプリント印刷処理をしない場合は、蓋部材４の原材料の白色をそのまま用いることにより、スマートフォン２を有する携帯情報処理装置１を自分の感覚に適応した標準製品の意匠感覚を持ちながら使用することができる。
【００３３】
これに対して蓋部材４の外表面をプリント印刷をすることにより、ユーザの好みに応じた絵柄を付着させれば、ユーザはさらに自分の好み合った、手に扱い馴れた製品としてスマートフォン２を使うことができる。
【００３４】
この状態においてユーザは蓋部材４を図８（Ｃ）に示すように本体ケース３から１１０[°]全開した状態にして本体ケース３従ってスマートフォン２を例えばテーブルの表面に置いた状態にすると、蓋部材４はヒンジ１１Ａ及び１１Ｂの回動板材３２の作用によって係止部４５が本体ケース３の係止壁４６に当接した状態を維持することにより、ユーザは図２に示すように鏡１２を本体ケース３、従ってテーブル上に立体的に立てた状態で、特に手で保持することなく、使用することができる。
【００３５】
この鏡の使用形態においてユーザは図３に示すように、本体ケース３から蓋部材４を全開した状態のままテーブル上に伏せるように置き変えると、蓋部材４がスマートフォン２に対するスタンド（すなわち突っ張り棒）の機能を果たすことにより、スマートフォン２のモニタ表面２Ａをテーブル上に立設させた状態に維持できる。
【００３６】
この状態にすると、ユーザは携帯情報処理装置１を手で持つ必要がなくなるので、テーブルの上に立設されたモニタ表面を見ながら必要に応じて情報処理操作をすることができ、かくしてユーザは楽な情報処理操作を行いながら携帯情報処理装置１を使用することができる。
【００３７】
以上の構成の携帯情報処理装置１は本体ケース３と一体に組み込んだスマートフォン２と、鏡１２と、電子マネーカード１４とを自分の好みに応じた使用形態、すなわち手に持った平面使用からテーブル上に置いた立体使用に至るまでを任意に選択しながら各部材の機能を有効に実行できるような携帯情報処理装置１を得ることができ、かくして一段と機能が多様な携帯型の情報処理装置を実現できる。
【００３８】
（５）他の実施の形態
（５−１）図９（Ａ）及び図９（Ｂ）は他の実施の形態を示すもので、図７のヒンジ構造においては回動板材３２の先端に形成された係止部４５を本体ケース３の構造の一部である係止壁４６によって係止動作させるようにしたが、これに代え、係止壁として回動板材３２の係止部４５が当接すべき係止壁４６Ｘとして係止部４５の当接位置の範囲を拡大するように係止壁４６Ｘの係止部４５に対する当接面を大きくする（例えば係止部４５の回動方向の長さを長くする）ことにより、係止部４５に対する係止動作を確実に行わせるようにする。
【００３９】
このようにすれば、図２について上述したように鏡１２を立体使用する場合や、図３に示すように蓋部材４を突っ張り動作させる際に、蓋部材４が過大に外側に回動したような場合にも回動板材３２の係止壁４６Ｘに対する係止動作を一段と確実に確保させることができる。
【００４０】
なお図７について上述したヒンジ構造において、係止壁４６の構成位置を変更すれば蓋部材４の本体ケース３に対する開閉角度を必要に応じて変更することができる。
【００４１】
（５−２）上述の実施の形態においては、蓋部材４をポリカーボネート樹脂のような硬質樹脂を用いることにより蓋部材４の突っ張り棒としての支え機能を強くするようにしたのに対して、本体ケース３も同様に硬質樹脂によって構成する。
【００４２】
これに代え、本体ケース３の素材を軟質ゴム系樹脂（ポリウレタン・ＴＰＵ・シリコン系樹脂・各種エラストマなど）を用いるようにしても良く、このようにすれば、本体ケース３としてスマートフォン２を柔軟性を保ちながら保持できることにより、商品のバリエーションを増すことができる。
【００４３】
（５−３）上述の実施の形態においては、携帯情報処理手段としてスマートフォンを使用する場合について述べたが、これに代え、他の小型・携帯型の情報処理手段を用いても、上述の場合と同様の作用効果を得ることができる。
【００４４】
（５−４）上述の実施の形態においては、蓋部材４の原材料の色を白色にした場合について述べたが、当該原材料の地の色はこれに限らず黒色など必要に応じて任意の色を選定することができる。
【００４５】
（５−５）上述の実施の形態においては、蓋部材４の外表面に必要に応じてプリント処理する場合について述べたが、これと共に、本体ケース３についてもプリント処理するようにしても良い。
さらに、蓋部材４と本体ケース３とを一体にして同時にプリント処理するようにしても良い。
【産業上の利用可能性】
【００４６】
本考案は鏡や電子マネーカードを小型携帯機器と一緒に保持させた携帯情報処理装置に利用できる。
【符号の説明】
【００４７】
１……携帯情報処理装置、２……スマートフォン、３……本体ケース、４……蓋部材、１１Ａ、１１Ｂ……ヒンジ、１２……鏡、１３……電子マネーカード収納部、１４……電子マネーカード、２１Ａ、２１Ｂ……左側縁部、右側縁部、２２Ａ、２２Ｂ……衝撃放出部位、３１……回動軸、３２……回動板材、４１……軸支部材、４２……回動軸、４３……中心孔、４４……直線面、４５……係止部、４６、４６Ｘ……係止壁。
【図１】
0003219341.tif 000003
【図２】
0003219341.tif 000004
【図３】
0003219341.tif 000005
【図４】
0003219341.tif 000006
【図５】
0003219341.tif 000007
【図６】
0003219341.tif 000008
【図７】
0003219341.tif 000009
【図８】
0003219341.tif 000010
【図９】
0003219341.tif 000011